(57)【要約】【課題】トイレブース等において、ドア体戸尻側端部に対向する躯体側部材の端部に設けられる躯体側エッジ部材と、ドア体が開閉揺動する過程で突出片に対向するようドア体戸尻側端部に組付けたドア体側エッジ部材との対向間隔を狭くして指詰め防止をするように構成する。【解決手段】躯体側エッジ部材１３のドア体戸尻側端部対向面からドア体側に向けて突出する突出片１３ｃの突出位置をドア体のドア面位置よりもドア厚方向内側になるよう偏倚して設定し、ドア体側エッジ部材１２の凸円弧状片１８ｂ、１９ａの半径Ｒを小径にすると共に、  前記凸円弧状片１８ｂの戸先側端部からは、ドア体６が全開姿勢になる前位置から全開姿勢に至るまでの過程で突出片１３ｃとの対向間隔を狭くして指詰めを防止するための爪部１８ｅが戸先側に向けて延出形成されていることを特徴とするドア体における指詰め防止構造。【選択図】図５
2014031648.tif 000002
【特許請求の範囲】
【請求項１】
出入り口部に開閉自在に設けられるドア体を、該ドア体戸尻側端部の上下面のドア厚方向中心部を吊り中心として揺動自在に枢支する中心吊り方式にしてなるドア体において、
ドア体戸尻側端部に対向する躯体側部材の端部に設けられる躯体側エッジ部材からドア体側に向けて突出した突出片と、ドア体が開閉揺動する過程で該突出片に対向するようドア体戸尻側端部に組付けたドア体側エッジ部材に設けられ、前記吊り中心を中心とする凸円弧状片との対向間隔を狭くして指詰め防止をするように構成するにあたり、
前記突出片の突出位置をドア体のドア面位置よりもドア厚方向内側になるよう設定して、凸円弧状片の吊り中心位置からの半径を、突出片の突出位置をドア体のドア面位置とした場合よりも小径にすると共に、
前記凸円弧状片の戸先側端部からは、ドア体が全開姿勢になる前位置から全開姿勢に至るまでの過程で突出片との対向間隔を狭くして指詰め防止をするための爪部が戸先側に向けて延出形成されていることを特徴とするドア体における指詰め防止構造。
【請求項２】
爪部は、ドア体が全開姿勢になったとき突出片先端対向位置未満までの延出となっている請求項１記載のドア体における指詰め防止構造。
【請求項３】
爪部は、ドア体が全開姿勢になったとき突出片先端対向位置以上の延出となっている請求項１記載のドア体における指詰め防止構造。
【発明の詳細な説明】
【技術分野】
【０００１】
本発明は、トイレブース等のパネル体により仕切られたスペースを開閉するドア体における指詰め防止構造の技術分野に属するものである。
【背景技術】
【０００２】
一般に、公共施設等のトイレブースのように、広いスペースを躯体側に固定される躯体側部材で仕切る一方、各仕切られた空間を構成する躯体側部材に出入り口部を開設し、該出入り口部にドア体を開閉自在に設けて、複数の開閉自在なブースを形成するようにしたものがある。このようなものにおいて、躯体側部材とドア体とをそれぞれパネル体で構成し、ドア体戸尻側（吊元側）端部の上下端面のドア厚方向中心部を、ヒンジピンを介して揺動自在に軸支する所謂中心吊りのものとすると、ドア体を開放させたとき、該ドア体の戸尻側の端面と躯体側部材の端面とのあいだに大きな間隙が形成され、該間隙に指等が差し込まれ、この状態でドア体が閉鎖されると指等が挟み込まれてしまう（所謂指詰めされてしまう）という問題がある。
そこでこの防止対策として、ドア体の吊り元側の側端部を、ドア体の吊り中心を中心とする凸円弧状のエッジ部材で覆う一方、躯体側部材の側端面を、同じくドア体の吊り中心を中心とする凹円弧状のエッジ部材で覆うことで、ドア体が開閉されても前記指詰めをするような大きな間隙が生じないようにしたものが知られている（例えば、特許文献１参照）。
【先行技術文献】
【特許文献】
【０００３】
【特許文献１】特開２０１０−１６３８３３号公報
【発明の概要】
【発明が解決しようとする課題】
【０００４】
ところで前記特許文献１のものは、躯体側エッジ部材は、特に室外側端部先端が躯体側部材の内外面に対し内外方向（ドア厚方向）に突出する肉厚状態でドア体側エッジ部材と対向するものであるため、エッジ部材同士の隙間を狭くして指詰めを防止するには、ドア体側エッジ部材はこれに対応すべく大径のものとならざるを得ず、この結果、ドア体側エッジ部材がドア体の内外面に対して大きく突出したものとなってしまい外観性を損なうといった問題があり、ここに本発明の解決すべき課題がある。
【課題を解決するための手段】
【０００５】
本発明は、上記の如き実情に鑑みこれらの課題を解決することを目的として創作されたものであって、請求項１の発明は、出入り口部に開閉自在に設けられるドア体を、該ドア体戸尻側端部の上下面のドア厚方向中心部を吊り中心として揺動自在に枢支する中心吊り方式にしてなるドア体において、ドア体戸尻側端部に対向する躯体側部材の端部に設けられる躯体側エッジ部材からドア体側に向けて突出した突出片と、ドア体が開閉揺動する過程で該突出片に対向するようドア体戸尻側端部に組付けたドア体側エッジ部材に設けられ、前記吊り中心を中心とする凸円弧状片との対向間隔を狭くして指詰め防止をするように構成するにあたり、前記突出片の突出位置をドア体のドア面位置よりもドア厚方向内側になるよう設定して、凸円弧状片の吊り中心位置からの半径を、突出片の突出位置をドア体のドア面位置とした場合よりも小径にすると共に、前記凸円弧状片の戸先側端部からは、ドア体が全開姿勢になる前位置から全開姿勢に至るまでの過程で突出片との対向間隔を狭くして指詰め防止をするための爪部が戸先側に向けて延出形成されていることを特徴とするドア体における指詰め防止構造である。
請求項２の発明は、爪部は、ドア体が全開姿勢になったとき突出片先端対向位置未満までの延出となっている請求項１記載のドア体における指詰め防止構造である。
請求項３の発明は、爪部は、ドア体が全開姿勢になったとき突出片先端対向位置以上の延出となっている請求項１記載のドア体における指詰め防止構造である。
【発明の効果】
【０００６】
請求項１〜３の発明とすることにより、ドア体からの突出量が小さい外観性のよい指詰め防止構造を有するものでありながら、ドア体を全閉姿勢から全開姿勢に変姿する全ての開閉工程において、ドア体の戸尻側端部における指詰め防止を図ることができる。
【図面の簡単な説明】
【０００７】
【図１】トイレブースの正面図である。
【図２】（Ａ）はブースにおける正面パネル体部位の縦断面図、（Ｂ）はドア体部分の縦断面図である。
【図３】ブースの形成状態を説明する横断面図である。
【図４】ドア体の戸先側部位における部分拡大断面図である。
【図５】（Ａ）は第一の実施の形態においてドア体の戸尻側部位における指詰め防止構造を示す部分拡大断面図、（Ｂ）は図５（Ａ）の比較例を示す部分拡大断面図である。
【図６】（Ａ）、（Ｂ）、（Ｃ）はそれぞれ、第一の実施の形態においてドア体の開放を示す説明図である。
【図７】（Ａ）は第二の実施の形態のドア体の戸尻側部位における指詰め防止構造を示す部分拡大断面図、（Ｂ）は第三の実施の形態のドア体の戸尻側部位における指詰め防止構造を示す部分拡大断面図である。
【発明を実施するための形態】
【０００８】
以下、本発明の第一の実施の形態について、図面に基づいて説明する。尚、内外（室内外）、前後、表裏、左右等の方向性は、本実施の形態を説明するため用いた図面をもとに便宜上方向付けたものであって、これに限定されるものではないことは言うまでもない。
図面において、１は広い空間を構成する左右方向を向く躯体壁面に沿い、所定間隙を存して配される複数の正面パネル体であって、これら正面パネル体１は、下端面に設けられた巾木２を介して床面に固定されている。そして、各正面パネル体１には、前後方向を向く仕切りパネル体３の一端面（手前側面）がそれぞれ突き当てられ、ビス４により固定されており、該仕切りパネル体３の他端側面（奥側面、後側面）は、左右方向を向く躯体壁面に突き当てられ、ビス４を用いて固定されており、これらによって、左右方向に長いスペースが仕切りパネル体３によって仕切られて躯体壁面に沿って複数のブースＢが並列状に形成されている。そして、これら各パネル体１、３が本発明の躯体側部材に相当している。また、各正面パネル体１は、金属材で形成された長尺状の笠木５により上端面が一体的に固定されており、該笠木５を躯体側に一体的に固定することにより、正面パネル体１上部の躯体への固定がなされている。
なお、各パネル体１、３は、内外一対（前後一対、表裏一対）のパネル面１ａ、３ａのあいだにコア材１ｂ、３ｂを介装して構成されており、本実施の形態では、同一材質のパネル材によって構成されている。
【０００９】
そして、隣接する正面パネル体１同士の間には所定の間隙が形成されており、該間隙が各ブースＢの出入り口部となり、これら出入り口部に各ブースＢを開閉するためのドア体６が開閉自在に設けられている。
前記ドア体６は、本実施の形態では各パネル体１、３と同一材質のパネル材を用いて構成されており、内外一対のドア面６ａとコア材６ｂとを備えて構成され、正面パネル体１のパネル厚とドア体６のドア厚は同じものに設定されている。そして、図１において、ドア体６の戸尻側端部における上下両端面部のドア厚方向中心部に、笠木５に基端部が支持されるヒンジピン７の下方を向く先端部と、正面パネル体１側に基端部が支持されるヒンジピン７の上方を向く先端部とを、それぞれ上下方向外方から嵌入支持させることにより、ドア体６は正面パネル体１に対して中心吊り状態で揺動自在に枢支されている。このドア体６は、ヒンジピン７の枢支部位であり、吊持部となる戸尻（吊り元）側部位を支点（吊り中心Ｏ）として揺動し、内外ドア面６ａが正面パネル体１の内外パネル面１ａと略面一となる閉鎖状態からドア体６をブースＢ内側に押しやることで出入り口部を開放状態に変姿するように構成されている。そして、ドア体６の閉鎖状態では、ドア体６の戸先側端部（左端部）６ｃ、戸尻側端部（右端部）６ｄに対し正面パネル体１の右端部１ｄ、左端部１ｃとがそれぞれ対向する位置関係となるように構成されている。
【００１０】
前記ドア体６の上部には、ブースＢ内側面の左右方向中間部に、フック８ａが一体形成された戸当たり８が設けられており、ドア体６の全開放時に該戸当たり８が仕切りパネル体３に当接するように設けることでドア体６のこれ以上の開放作動が規制されることになって、ドア体６と仕切りパネル体３の保護を図るように構成されている。
ドア体６の上部のブースＢ内側面には、さらに、ドア体６の上端部から上方に突出するストッパ部材９が設けられており、該ストッパ部材９は、図２（Ｂ）に示すように、ドア体６の閉鎖状態において、ブースＢの内側から笠木５に当接することにより、ドア体６が外方（室外側）に開放する外開きを規制するように設定されている。
【００１１】
そして、ドア体６の戸先側端部６ｃには、ドア体用戸先側エッジ部材１０が上下方向略全長に亘って一体的に止着され、該戸先側端部６ｃに対向する正面パネル体１の右端部１ｄには、正面パネル体用右エッジ部材１１が上下方向略全長に亘って一体的に止着されている。一方、ドア体６の戸尻側である戸尻側端部６ｄには、ドア体用戸尻側エッジ部材１２が上下方向略全長に亘って一体的に止着され、該戸尻側端部６ｄに対向する正面パネル体１の左端部１ｃには、正面パネル体用左エッジ部材１３が上下方向略全長に亘って一体的に止着されている。そして、これらエッジ部材１０、１１、１２、１３によって、ドア体の戸先側、戸尻側においての指詰め防止構造が達成できるように構成されている。
なお、本実施の形態において各エッジ部材１０、１１、１２、１３は何れもアルミ型材によって構成されている。
【００１２】
まず、図４に示すように、エッジ部材１０、１１によって構成されるドア体６の戸先（戸先側端部６ｃ）側の指詰め防止構造について説明する。
前記ドア体用戸先側エッジ部材１０は、ドア体６のドア面６ａに直交し、ドア体６の戸先側端部（図４の左端部）６ｃに突き当てられる本体１４と、該本体１４に保持される凸円弧状の緩衝体１５とで構成されている。
前記本体１４は、ドア体戸先側端部６ｃに突き当てられる平板状の基端部１４ａと、該戸先側端部６ｃの全長に亘ってドア面６ａに沿うように、該基端部１４ａの内外端から戸尻方向に延出形成される一対の支持片１４ｂと、正面パネル体１側に突出形成され、緩衝体１５を保持する一対の第一保持片１４ｃと、該第一保持片１４ｃよりもドア厚方向中心側に突出形成され、緩衝体１５を係合保持する一対の第二保持片１４ｄとで構成され、そして本体１４は、基端部１４ａのパネル厚方向中心部位をビス１４ｅで固定することで、ドア体戸先側端部６ｃに止着されている。
緩衝体１５は、円弧状部１５ａと、該円弧状部１５ａの内外端部から延出形成され、前記第一保持片１４ｃにパネル厚方向外側から当接される一対の第一保持受け片１５ｂと、前記第二保持片１４ｄにパネル厚方向中心側から当接される一対の第二保持受け片１５ｃとで構成されているが、一対の第一保持受け片１５ｂ同士の外幅は、ドア体６のドア厚と略同一となるように設定されており、これによってドア体用戸先側エッジ部材１０は、一対の内外支持片１４ｂのみがドア体６の肉厚に対して厚み方向に膨出した肉厚構造になっている。
そして、本体１４の第一、第二保持片１４ｃ、１４ｄに緩衝体１５の第一、第二保持受け片１５ｂ、１５ｃをそれぞれ当接させる状態で、第二保持片１４ｄと第二保持受け片１５ｃとにそれぞれ形成される凹凸嵌合部１４ｆ、１５ｄ同士を無理嵌め嵌合することで本体１４と緩衝体１５とが抜止め状態となって一体化され、これによってドア体６の戸先側にドア体用戸先側エッジ部材１０が配設される。
【００１３】
一方、前記ドア体用戸先側エッジ部材１０に対向する正面パネル体用右エッジ部材１１は、正面パネル体１のパネル面１ａに直交し、ドア体６の戸先側端に対向する右端部１ｄに突き当てられる本体１６と、該本体１６に保持される凹状の緩衝体１７とで構成されている。
本実施の形態において前記本体１６は、ドア体用戸先側エッジ部材１０の本体１４と同一部材のものを、内外方向に反転させて用いたものであって、基端部１６ａ、支持片１６ｂ、第一保持片１６ｃ、第二保持片１６ｄで構成され、基端部１６ａのパネル厚方向中心部をビス１６ｅで固定することで、正面パネル体１の右端部１ｄに止着されている。そして、このように本体１４、１６を同一部材のものとすることで、部材の兼用化を図ることができるように構成されている。
緩衝体１７は、凹状部１７ａと、該凹状部１７ａの内外端部から延出形成され、前記第一保持片１６ｃに内外方向外側から保持される一対の第一保持受け片１７ｂと、前記第二保持片１６ｄに中心側から保持される一対の第二保持受け片１７ｃとで構成されているが、一対の第一保持受け片１７ｂ同士の外幅は、正面パネル体１のパネル厚と略同一となるように設定されており、これによって正面パネル体用右エッジ部材１１は、一対の内外支持片１６ｂのみがパネル体１の肉厚に対して厚み方向に膨出した肉厚構造になっている。
そして、本体１６の第一、第二保持片１６ｃ、１６ｄに緩衝体１７の第一、第二保持受け片１７ｂ、１７ｃをそれぞれ当接させる状態で、第二保持片１６ｄと第二保持受け片１７ｃとにそれぞれ形成される凹嵌合部１６ｆと凸嵌合部１７ｄ同士を無理嵌め嵌合することで本体１６と緩衝体１７とが抜止め状態となって一体化され、これによって正面パネル体１の右端部１ｄに正面パネル体用右エッジ部材１１が配設される。
そして、このようにドア体用戸先側エッジ部材１０と正面パネル体用右エッジ部材１１とを備えて構成することで、ドア体６の戸先側端部と正面パネル体右端部１ｄとの室内側（ドア体６の開放側）での間隙を狭くすることができて、該戸先側における指詰めを防止することができる。
【００１４】
次に、図５（Ａ）に示す戸尻側のエッジ部材１２、１３の構造について説明し、該エッジ部材１２、１３による指詰め防止構造の関係についてはその後に説明する。
まず、ドア体用戸尻側エッジ部材１２は、ドア体６のドア面６ａに直交し、ドア体６の戸尻側端部（図５（Ａ）の右端部）６ｄに突き当てられ、該戸尻側端部６ｄを覆う凸円弧状をした本体１８と、該本体１８に係止されるカバー体１９とで構成されている。
前記本体１８は、ドア体戸尻側端部６ｄに突き当てられる平板状の基端部１８ａと、ドア体６の吊り中心Ｏを円弧中心とし、該基端部１８ａの内外端からそれぞれ左右方向（戸先側、戸尻側方向）に凸円弧状に延出する内外一対の凸円弧状片１８ｂと、該一対の凸円弧状片１８ｂの戸尻側端のあいだに形成される間隙１８ｃと、一対の凸円弧状片１８ｂの戸尻側端から戸先部側に向けて延出形成される保持片１８ｄと、凸円弧状片１８ｂの戸先側端から延出形成される爪部１８ｅとで構成されていて、基端部１８ａのパネル厚方向中心部をビス１８ｆで固定することでドア体戸尻側端部６ｄに止着されている。
カバー体１９は、前記凸円弧状片１８ｂと同一円周となる凸円弧状部１９ａと、該凸円弧状部１９ａの内外端部から延出形成され、前記保持片１８ｄにパネル厚方向内側から当接される一対の保持受け片１９ｂとで構成されている。
そして、カバー体１９の保持受け片１９ｂを、本体１８の保持片１８ｄに当接させる状態で間隙１８ｃに挿入し、保持片１８ｄと保持受け片１９ｂに形成される凹嵌合部１９ｃとを無理嵌め嵌合することで本体１８とカバー体１９とが抜止め状態となって一体化されることになるが、この状態では、前記本体１８側の内外の凸円弧状片１８ｂとカバー体１９の凸円弧状部１９ａとはドア体６の吊り中心Ｏを中心とする円弧となって一連状に連続するようになっており、このようにすることでドア体６の戸尻側端部６ｄにドア体用戸尻側エッジ部材１２が配設される。
【００１５】
一方、前記ドア体用戸尻側エッジ部材１２に対向する正面パネル体用左エッジ部材１３は、正面パネル体１のパネル面１ａに直交し、左端部１ｃに突き当てられる平板状の基端部１３ａと、該左端部１ｃの全長に亘ってパネル面１ａに沿うように、該基端部１３ａの内外端から延出形成される一対の支持片１３ｂと、正面パネル体１のパネル厚よりも内外方向内側に位置してドア体６側に向けて突出形成される一対の突出片１３ｃとで構成されていて、基端部１３ａのパネル厚方向中心部をビス１３ｄで正面パネル体左端部１ｃに止着することで、正面パネル体１の左端部１ｃに正面パネル体用左エッジ部材１３が配設されるが、突出片１３ｃが正面パネル体１のパネル厚よりも内外方向内側位置にてドア体６側に突出しているため、正面パネル体１のパネル面１ａから肉厚状に突出するものは内外一対の支持片１３ｂのみとなるよう設定されている。
【００１６】
このように構成されるドア体用戸尻側エッジ部材１２、正面パネル体用左エッジ部材１３において、該正面パネル体用左エッジ部材１３の一対の突出片１３ｃ、１３ｃは、正面パネル体１（ドア体６）のパネル面１ａ、１ａよりもパネル厚方向中心側に幅Ｌだけ偏倚した状態でドア体６側に向けて突出している。
図５（Ｂ）は本実施の形態の比較例であって、突出片１３ｃ’が正面パネル体１の内外パネル面１ａ、１ａと同じ位置としたものである。
そして、図５（Ａ）に示す本実施の形態のドア体用戸尻側エッジ部材１２の凸円弧状片１８ｂ、１９ａと突出片１３ｃ、１３ｃの対向間隙と、図５（Ｂ）のドア体用戸尻側エッジ部材１２’の凸円弧状片１２ａ’と突出片１３ｃ’の対向間隔とを同じ間隔（指詰め防止間隔）Ｘに設定した比較例の場合について、凸円弧状片同士の半径を比較した場合に、本実施の形態のドア体用戸尻側エッジ部材１２の凸円弧状片１８ｂ、１９ａの半径Ｒは、前記比較例の凸円弧状片１２ａ’の半径Ｓに比して小さく（Ｒ＜Ｓ）できるようになっており、これによって本発明が実施されたドア体用戸尻側エッジ部材１２のドア面６ａからの膨出量Ｙを、比較例のドア体用戸尻側エッジ部材１２’のドア面６ａからの膨出量Ｚよりも小さく設定（Ｙ＜Ｚ）できるようにしている。
【００１７】
さらに前記凸円弧状片１８ｂの戸先側端は、前記半径Ｒを維持する状態でドア面６ａに当接する直前までとし、ここから前記爪部１８ｅがドア面６ａに対して平行状態で戸先側に向けて延設されているが、該爪部１８ｅは、突出片１３ｃがドア面６ａに当接する直前位置でドア面６ａ側に向けて折曲してドア面６ａに当接するように構成されている。そしてこの爪部１８ｅはドア体６の全開付近での指詰め防止をするものである。前述したように、突出片１３ｃ、１３ｃをドア体６のドア面６ａ、６ａよりもパネル厚方向中心側に幅Ｌだけ偏倚させることで、ドア体用戸尻側エッジ部材１２の凸円弧状片１８ｂ、１９ａの半径Ｒを小さくできるように設定しているが、凸円弧状片１８ｂを、前記半径Ｒをそのまま維持する状態でドア体６のドア面６ａに当接させた構成にすると、ドア体６が全開する少し前位置（図６（Ｂ）破線状態参照）で突出片１３ｃに対向する凸円弧状片１８ｂがなくなることになって、突出片１３ｃとドア面６ａとの対向間隔が広くなり、指詰めの可能性がある。そこでこのものでは、凸円弧状片１８ｂの戸先側端から、ドア体６が全開して突出片１３ｃがドア面６ａに当接するか近接対向する位置よりも少し戸尻側に位置する位置まで爪部１８ｅを延出形成するようにして対向間隔を狭めて指詰め防止を図っている。
【００１８】
なお、２０はドア体６を施錠するための錠装置であって、該錠装置２０は、ドア体６のブースＢ内側面の戸先側部位における上下方向中間部位に位置し、ドア体６に対して左右方向スライド移動自在に設けられるストライカー２０ａと、正面パネル体１の左側端部に位置して設けられ、該ストライカー２０ａのスライド移動に基づいて係脱する受け部材２０ｂとにより構成されている。
【００１９】
叙述の如く構成されたものでは、正面パネル体用左エッジ部材１３の一対の突出片１３ｃ、１３ｃは、正面パネル体１（ドア体６）のパネル面１ａ、１ａよりもドア厚方向内側になるよう、パネル厚方向中心側に幅Ｌだけ偏倚した状態でドア体６側に向けて突出しており、これによって、ドア体用戸尻側エッジ部材１２の凸円弧状片１８ｂ、１９ａと突出片１３ｃ、１３ｃとの対向間隙を指詰め防止するべく間隔Ｘに設定したとき、ドア体用戸尻側エッジ部材１２の凸円弧状片１８ｂ、１９ａの半径Ｒを可及的に小さくすることができるため、凸円弧状片１８ｂ、１９ａを、吊り中心Ｏから半径Ｒの円弧として指詰め防止ができるものでありながら、ドア体６のドア面６ａからの膨出量Ｙが小さいものになって外観性のよいものとすることができる。
【００２０】
そして前述したように、ドア体６を全閉姿勢から開放する際に、ドア体用戸尻側エッジ部材１２の凸円弧状片１８ｂ、１９ａと突出片１３ｃ、１３ｃとの対向間隙Ｘを保ったまま開放されていくため、指詰め防止を図ることができるものであるが、凸円弧状片１８ｂの半径Ｒを小さいものにしているため、このままであるとドア体６が全開する少し前位置に至ると、突出片１３ｃは凸円弧状片１８ｂとの対向がなくなってドア面６ａと対向する（図６（Ｂ）の破線状態参照）ことになって、両者の対向間隔が広いものになって指詰めの可能性がでてくるが、このものでは凸円弧状片１８ｂの戸先側端から戸先側に向けて爪部１８ｅを延出形成し、これによって全開するまでのあいだ、突出片１３ｃとの対向間隔を狭いものとして指詰め防止を図っている。
この結果、ドア体用戸尻側エッジ部材１２の凸円弧状片１８ｂ、１９ａの半径Ｒを小さくしたものでありながら、全閉姿勢から全開姿勢に至る全ての開閉工程で、指詰めを防止することができることになる。
【００２１】
因みに中心吊り方式のドア体において、前記実施の形態のように、ドア体６が内外一方にのみ開放するものであれば、指詰め防止構造は開放側にのみ設ければ足り、このものについては、後述する第二の実施の形態として説明するが、前記本実施の形態の凸円弧状片が内外両側にある構成としたときには、中心吊り式のドア体が内外両開きをする構成としたものにおいて内外両側での指詰め防止が図れることになり、さらにまた内外勝手違いに開放するものにおいて何れにも兼用することができるという利便性がある。
【００２２】
また本発明は、図７に示す第二、第三の実施の形態のようにすることもできる。尚、第二、第三の実施の形態において、第一の実施の形態と同じものについては、同じ名称、同じ符号を付し、詳細な説明は省略する。
まず、図７（Ａ）に示す第二の実施の形態のものは、ドア体６が図７（Ａ）における室内側（図面における上方側）にのみ開放するものであることを前提とし、ドア体用戸尻側エッジ部材２１が本体２２と、カバー体１９とで構成されている。
そして該本体２２は、基端部２２ａと、室内側の凸円弧状片２２ｂと、室外側の凸円弧状片２２ｃと、該凸円弧状片２２ｂ、２２ｃの戸尻側端から基端部２２ａ側に向けて延出形成される保持片２２ｄと、該凸円弧状片２２ｂ、２２ｃの戸先側端から延出形成される爪部２２ｅ、２２ｆとで構成され、ネジ２２ｇを介してドア体６に固定されている。このものは室内側の凸円弧状片２２ｂ、爪部２２ｅは前記第一の実施の形態のものと同様に形成されているが、室外側の凸円弧状片２２ｃについては基端部２２ａから戸尻側に延出するだけにして戸先側には延出しない短いものとし、そして基端部２２ａ（室外側凸円弧状片２２ｃ）の室外側端から戸先側に向けて爪部２２ｆを突出形成したものであり、このように構成することでドア体６は、室外側の戸尻側端部にはドア面６ａから膨出する凸円弧状片のないものとなって外観性のよいものにできる。
尚このものでは、内開きのものを外開きにするには、ドア体用戸尻側エッジ部材２１を天地逆にして取り付ければよく、前もって設計図等で確認して組み立てれば問題になることはない。
【００２３】
さらに、図７（Ｂ）に示す第三の実施の形態のものは、ドア体用戸尻側エッジ部材２３に設けられる本体２４の爪部２４ａを、前記第一の実施の形態のものよりも戸先側に向けて長いものとしたもので、このようにした場合には、ドア体６を全開した場合に、正面パネル体用左エッジ部材１３の突出片１３ｃの先端が爪部２４ａに対向するようにしたものである。
そしてこのようにすることで、更なる指詰め防止効果を発揮することができるだけでなく、ドア体６が全開した場合に、該ドア体６のドア面６ａが該突出片１３ｃにあたって傷が付いてしまうようなことを防ぐことができる。
【産業上の利用可能性】
【００２４】
本発明は、トイレブース等のパネル体により仕切られたスペースを開閉するドア体の戸尻側端部における指詰め防止構造の技術分野に利用することができる。
【符号の説明】
【００２５】
１    正面パネル体
６    ドア体
６ａ  ドア面
１２    ドア体用戸尻側エッジ部材
１３    正面パネル体用左側エッジ部材
１３ｃ  突出片
１８    本体
１８ｂ  凸円弧状片
１８ｅ  爪部
Ｏ    吊り中心
Ｒ    半径
Ｘ    対向間隔
【図１】
2014031648.tif 000003
【図２】
2014031648.tif 000004
【図３】
2014031648.tif 000005
【図４】
2014031648.tif 000006
【図５】
2014031648.tif 000007
【図６】
2014031648.tif 000008
【図７】
2014031648.tif 000009